(57)【要約】【課題】  胴部をポケットとして使用することができ、且つポケットのスライドファスナーを閉め忘れても収納物が落ちない、バッグのポケット構造を提供する。【解決手段】  キャリーバッグ６の上部６ａに載置され、該キャリーバッグ６のハンドル７に保持されるバッグ２１のポケット構造２５であって、該ポケット構造２５は、上部シート材２８と下部シート材２９とをスライドファスナー３０を介在させて逢着してポケット用シート部材３１を形成し、該ポケット用シート部材３１の両端部３１ａ、３１ａ及び下端部３１ｂが前記バッグ２１の胴部２４に逢着されてなる。【選択図】      図１
2006345912.tif 000002
【特許請求の範囲】
【請求項１】
キャリーバッグの上部に載置され、該キャリーバッグのハンドルに保持されるバッグのポケット構造であって、
該ポケット構造は、
上部シート材と下部シート材とをスライドファスナーを介在させて逢着してポケット用シート部材を形成し、
該ポケット用シート部材の両端部及び下端部が前記バッグの胴部に逢着されてなること
を特徴とするバッグのポケット構造。
【請求項２】
前記下部シート材の縦寸法Ｌ１は、前記上部シート材の縦寸法Ｌ２よりも長いことを特徴とする請求項１に記載のバッグのポケット構造。
【請求項３】
前記上部シート材の下端部には、前記スライドファスナーを隠すファスナー隠し部が設けられていることを特徴とする請求項１に記載のバッグのポケット構造。
【請求項４】
前記上部シート材の内側と前記バッグの胴部とには、それぞれ対応する位置に面ファスナーが逢着されていることを特徴とする請求項１に記載のバッグのポケット構造。
【発明の詳細な説明】
【技術分野】
【０００１】
本発明は、キャリーバッグの上部に載置され、更には、キャリーバッグから外して単独でも使用できるバッグのポケット構造に関するものである。
【背景技術】
【０００２】
従来、この種のバッグとしては、図７に示すような構成のものが知られている。このバッグ１は、上部に手提げ用の把手２、及びショルダーベルト３を有すると共に、胴部４には帯状のベルト５が設けられている。また、キャリーバッグ６には、伸縮自在なフレーム状のハンドル７が設けられており、このハンドル７をベルト５の下部から挿通して上部に突出させて、バッグ１を保持する。
【０００３】
また、図８に示すような構成のバッグ８も知られている。このバッグ８は、胴部９にポケット１０を有し、ポケット１０の下端部１１には、開閉自在なスライドファスナー１２が設けられている。このバッグ８をキャリーバッグ６の上部６ａに載置するときには、ファスナー１２を開いて、ハンドル７を下端部１１から挿通して、ポケット１０の上部に突出させることにより、バッグ８を保持する。
【０００４】
一方、バッグ８をキャリーバッグ６から外して単独で使用するときには、スライドファスナー１２を閉めて、ポケット１０に小物等を収納できるようにする。
【０００５】
この他のバッグとしては、例えば実用新案登録第３０４５７８６号公報、及び特開２０００−３０８５１１号公報に開示されたものが知られている（特許文献１、２参照）。
【特許文献１】実用新案登録第３０４５７８６号公報
【特許文献２】特開２０００−３０８５１１号公報
【発明の開示】
【発明が解決しようとする課題】
【０００６】
この従来例のバッグ１においては、単独で使用するときに、胴部４をポケットとして使用できない。また、ベルト５が邪魔であり、見た目にも格好が悪いという欠点を有している。
【０００７】
また、バッグ８においては、単独で使用するときに、スライドファスナー１２を閉め忘れると、ポケット１０に収納した小物等が下端部１１から落ちるおそれがある。また、スライドファスナー１２が露出した状態にあるので、上着やズボンの生地に触れて傷つけるおそれがあるという欠点も有している。
【０００８】
従って、従来例におけるバッグ１、８においては、胴部４をポケットとして使用できるようにすることと、スライドファスナー１２を閉め忘れても小物等が落ちないようにすることと、スライドファスナー１２によって生地を傷つけないようにすることとに解決しなければならない課題を有している。
【課題を解決するための手段】
【０００９】
前記従来例の課題を解決する具体的手段として本発明は、キャリーバッグの上部に載置され、該キャリーバッグのハンドルに保持されるバッグのポケット構造であって、該ポケット構造は、上部シート材と下部シート材とをスライドファスナーを介在させて逢着してポケット用シート部材を形成し、該ポケット用シート部材の両端部及び下端部が前記バッグの胴部に逢着されてなることを特徴とするバッグのポケット構造を提供するものである。
【００１０】
また、前記下部シート材の縦寸法Ｌ１は、前記上部シート材の縦寸法Ｌ２よりも長い構成としたものであり、そして、前記上部シート材の下端部には、前記スライドファスナーを隠すファスナー隠し部が設けられている構成としたものであり、更に、前記上部シート材の内側と前記バッグの胴部とには、それぞれ対応する位置に面ファスナーが逢着されている構成としたものである。
【発明の効果】
【００１１】
本発明に係るバッグのポケット構造は、キャリーバッグの上部に載置され、該キャリーバッグのハンドルに保持されるバッグのポケット構造であって、該ポケット構造は、上部シート材と下部シート材とをスライドファスナーを介在させて逢着してポケット用シート部材を形成し、該ポケット用シート部材の両端部及び下端部が前記バッグの胴部に逢着されてなることによって、スライドファスナー開いて、そこからキャリーバッグのハンドルを挿通して、ポケットの上部に突出させると、バッグが保持される。
また、バッグを単独で使用するときには、スライドファスナーを閉めて、ポケットとして使用できる。この場合、スライドファスナーがポケット用シート部材の中程よりも上部に位置するので、仮にスライドファスナーを閉め忘れてもポケットに収納した小物等が落ちないという優れた効果を奏する。
【００１２】
また、下部シート材の縦寸法Ｌ１は、上部シート材の縦寸法Ｌ２よりも長いことによって、スライドファスナーの位置がポケット用シート部材の中程よりも上部に位置することとなる。従って、バッグを単独で使用したときに、スライドファスナーを閉め忘れたとしても、ポケットに収納した小物等が落ちないという優れた効果を奏する。
【００１３】
そして、上部シート材の下端部には、スライドファスナーを隠すファスナー隠し部が設けられていることによって、スライドファスナーが露出しないので、上着やズボンの生地を傷つけないという優れた効果を奏する。
【００１４】
更に、上部シート材の内側と前記バッグの胴部とには、それぞれ対応する位置に面ファスナーが逢着されていることによって、ポケット入口が面ファスナーで胴部に係止される。また、ポケット入口の開閉が自在であるという優れた効果を奏する。
【発明を実施するための最良の形態】
【００１５】
次に、本発明の実施の形態について図面を参照しながら詳細に説明する。なお、理解容易のため、従来例に対応する部分には従来例と同一の符号を付けて説明する。
【００１６】
まず、図１は、キャリーバッグ６の上部６ａに載置されたバッグ２１の斜視図であり、図２は、バッグ２１の単独での使用状態を示す斜視図である。
【００１７】
このバッグ２１は、上部２１ａに手提げ用の把手２２を有し、側部２１ｂには肩掛け用のショルダーベルト２３が取り付けられるようになっている。また、バッグ２１の胴部２４には、後述するポケット構造２５を有している。
【００１８】
キャリーバッグ６は、側部６ｂに把手２６を有し、底部６ｃにはキャスター２７が設けられている。また、キャリーバッグ６の上部６ａには、伸縮自在なフレーム状のハンドル７が設けられており、このハンドル７を引き出して移動し、不使用時にはキャリーバッグ６の内部に収納できる。
【００１９】
バッグ２１のポケット構造２５は、図３（イ）（ロ）（ハ）（ニ）に示すように、上部シート材２８と下部シート材２９とをスライドファスナー３０を介在させて逢着してポケット用シート部材３１を形成し、このポケット用シート部材３１の両端部３１ａ、３１ａ及び下端部３１ｂをバッグ２１の胴部２４に逢着してなる。
【００２０】
このポケット構造２５の製作工程にしたがって説明する。上部シート材２８は、胴部２４の横寸法と略同一の横寸法に形成されており、また、所定の縦寸法Ｌ２に形成されている。そして、この上部シート材２８の内側には面ファスナー３２が逢着される。更に、上部シート材２８の下部は、所定幅が内側に折り曲げて逢着されており、この折り曲がり部位がファスナー隠し部３３を形成する（図３（イ）参照）。
【００２１】
下部シート材２９は、上部シート材２８と略同一の横寸法に形成されている。また、下部シート材２９の縦寸法Ｌ１は、上部シート材２８の縦寸法Ｌ２よりも長く形成されることが望ましい（図３（イ）参照）。このように縦寸法Ｌ１を長くすることにより、スライドファスナー３０の位置がポケット用シート部材３１の中程よりも上部に位置することとなり、バッグ２１を単独で使用したときに、スライドファスナー３０を閉め忘れても、ポケットに収納した収納物４２が落ちないのである（図２参照）。
【００２２】
次に、下部シート材２９の上端部２９ａにスライドファスナー３０の一方の側部３０ａを逢着する。そして、スライドファスナー３０の他方の側部３０ｂをファスナー隠し部３３の上部３３ａに逢着する（図３（イ）参照）。このように縫製することにより、スライドファスナー３０がファスナー隠し部３３に隠れて露出しないので、上着やズボンの生地を傷つけない（図４参照）。
【００２３】
更に、スライドファスナー３０の先端部側３０ｃ及び後端部側３０ｄを押え縫いにより補強して、スライダー３４の抜けを防止する（図３（ロ）参照）。
【００２４】
なお、スライドファスナー３０の長さは、キャリーバッグ６のハンドル７の幅よりもやや長い必要がある。つまり、図１に示すように、スライドファスナー３０を開いて、そこからキャリーバッグ６のハンドル７を挿通して、ポケット３６の上部に突出させるからである。
【００２５】
一方、バッグ２１の胴部２４には、面ファスナー３５が逢着される（図３（ハ）参照）。この面ファスナー３５は、上部シート材２８の面ファスナー３２と対応する位置に逢着される。このように、面ファスナー３５と面ファスナー３２とが対応する位置に逢着されることにより、ポケット３６の入口が胴部２４に係止され、また、ポケット３６の入口の開閉が自在になる（図３（ニ）参照）。
【００２６】
ポケット用シート部材３１は、両端部３１ａ、３１ａ及び下端部３１ｂが、バッグ２１の胴部２４の両端部２４ａ、２４ａ及び下端部２４ｂに逢着される。そして、ポケット３６入口の両端部３６ａ、３６ａ近傍を押え縫いにより補強して、収納物出し入れ時の生地裂け防止を図る。以上のようにして、バッグ２１の胴部２４にポケット構造２５が形成される。
【００２７】
次に、バッグのポケット構造２５の他の実施例について説明する。図５に示すバッグ３７は、長い形状のスライドファスナー３８が用いられている。この場合、スライドファスナー３８の先端部側及び後端部側が、ポケット３９入口の両端部３９ａ、３９ａ近傍位置と略同一位置にある。これは、キャリーバッグ６のハンドル７の幅広に対応させて、スライドファスナー３８を長く形成したものである。
【００２８】
また、図６は、ポケット構造２５を備えるバッグの他の実施例である。例えばブリーフケース４１にポケット構造２５を有しており、その上部にはアーチ状の把手４０が設けられている。
【００２９】
以上のように構成されるバッグのポケット構造２５は、スライドファスナー３０開いて、そこからキャリーバッグ６のハンドル７を挿通して、ポケット３９の上部に突出させると、バッグ２１が保持されるので、移動時等に便利である（図１参照）。
バッグ２１を単独で使用するときには、スライドファスナー３０を閉めて、ポケット３９として使用できる（図２参照）。この場合、スライドファスナー３０がポケット用シート部材３１の中程よりも上部に位置するので、誤ってスライドファスナー３０を閉め忘れてもポケット３９の収納物４２が落ちないのである。
【産業上の利用可能性】
【００３０】
本発明のバッグのポケット構造２５は、実施例に示すバッグ２１に限定されることはなく、例えば、ショルダーバッグ、ビジネスバッグ、ボストンバッグ、ハンドバッグ、ソフトアタッシュ、アタッシュケース、リュックサック、ナップザック等の種々な種類のバッグに設けることが可能である。また、ポケット構造２５は、布製、皮革製、軟質又は硬質の合成樹脂製、紙製、金属製等の様々な素材で形成されたバッグに対して、様々な素材を用いて形成することができる。
【図面の簡単な説明】
【００３１】
【図１】キャリーバッグ６の上部６ａに載置されたバッグ２１の斜視図である。
【図２】バッグ２１の単独での使用状態を示す斜視図である。
【図３】（イ）上部シート材２８及び下部シート材２９の説明図である。（ロ）ポケット用シート部材３１の説明図である。（ハ）バッグ２１の胴部２４を示す説明図である。（ニ）胴部２４にポケット用シート部材３１を逢着する状態を示す説明図である。
【図４】図３（ロ）のファスナー隠し部３３の一部を破断して示した説明図である。
【図５】バッグの他の実施例を示す正面図である。
【図６】バッグの他の実施例を示す正面図である。
【図７】従来例に係るバッグ１の斜視図である。
【図８】従来例に係るバッグ８の斜視図である。
【符号の説明】
【００３２】
１    バッグ
２    把手
３    ショルダーベルト
４    胴部
５    ベルト
６    キャリーバッグ
６ａ  上部
６ｂ  側部
６ｃ  底部
７    ハンドル
８    バッグ
９    胴部
１０  ポケット
１１  下端部
１２  スライドファスナー
２１  バッグ
２１ａ上部
２１ｂ側部
２２  把手
２３  ショルダーベルト
２４  胴部
２４ａ、２４ａ  端部
２４ｂ下端部
２５  ポケット構造
２６  把手
２７  キャスター
２８  上部シート材
２９  下部シート材
２９ａ上端部
３０  スライドファスナー
３０ａ、３０ｂ  側部
３０ｃ先端部側
３０ｄ後端部側
３１  ポケット用シート部材
３１ａ端部
３１ｂ下端部
３２  面ファスナー
３３  ファスナー隠し部
３３ａ上部
３４  スライダー
３５  面ファスナー
３６  ポケット
３６ａ、３６ａ  端部
３７  バッグ
３８  スライドファスナー
３９  ポケット
３９ａ、３９ａ  端部
４０  把手
４１  ブリーフケース
４２  収納物
【図１】
2006345912.tif 000003
【図２】
2006345912.tif 000004
【図３】
2006345912.tif 000005
【図４】
2006345912.tif 000006
【図５】
2006345912.tif 000007
【図６】
2006345912.tif 000008
【図７】
2006345912.tif 000009
【図８】
2006345912.tif 000010